(57)【要約】【課題】  小型化及び製造コストの低減を図る。【解決手段】  同一の種類の電波を受信可能な第１のアンテナ及び第２のアンテナと、第１のアンテナ及び第２のアンテナとは異なる種類の電波を受信可能な第３のアンテナと、第１のアンテナ及び第２のアンテナによって受信された電波の入力を行う第１の入力モードと第３のアンテナによって受信された電波の入力を行う第２の入力モードとを切り替えるアンテナ切替スイッチと、アンテナ切替スイッチに接続され第１の入力モード及び第２の入力モードにおいてそれぞれ電波を受信する第１のチューナー回路と、アンテナ切替スイッチに接続され第１の入力モードにおいて電波を受信する第２のチューナー回路と、前記第１の入力モードにおいて前記第１のチューナー回路及び前記第２のチューナー回路から出力される信号に基づいて前記第１のアンテナと前記第２のアンテナに関するダイバーシティ受信が行われ、前記第２の入力モードにおいて前記第１のチューナー回路から信号が出力されるようにした。【選択図】        図２
2013135270.tif 000002
【特許請求の範囲】
【請求項１】
同一の種類の電波を受信可能な第１のアンテナ及び第２のアンテナと、
前記第１のアンテナ及び前記第２のアンテナとは異なる種類の電波を受信可能な第３のアンテナと、
前記第１のアンテナ及び前記第２のアンテナによって受信された電波の入力を行う第１の入力モードと前記第３のアンテナによって受信された電波の入力を行う第２の入力モードとを切り替えるアンテナ切替スイッチと、
前記アンテナ切替スイッチに接続され前記第１の入力モード及び前記第２の入力モードにおいてそれぞれ電波を受信する第１のチューナー回路と、
前記アンテナ切替スイッチに接続され前記第１の入力モードにおいて電波を受信する第２のチューナー回路と、
前記第１の入力モードにおいて前記第１のチューナー回路及び前記第２のチューナー回路から出力される信号に基づいて前記第１のアンテナと前記第２のアンテナに関するダイバーシティ受信が行われ、
前記第２の入力モードにおいて前記第１のチューナー回路から信号が出力されるようにした
受信装置。
【請求項２】
前記アンテナ切替スイッチに第１の入力端子と第２の入力端子が設けられ、
前記第１のアンテナによって受信された電波が前記第１の入力端子に入力され、
前記第２のアンテナ及び前記第３のアンテナによって受信された電波がそれぞれ前記第２の入力端子に入力されるようにした
請求項１に記載の受信装置。
【請求項３】
前記アンテナ切替スイッチに前記第１のチューナー回路に接続された第１の出力端子と前記第２のチューナー回路に接続された第２の出力端子とが設けられ、
前記第１の入力モードにおいて前記第１の入力端子と前記第１の出力端子が接続されると共に前記第２の入力端子と前記第２の出力端子が接続され、
前記第２の入力モードにおいて前記第１の入力端子と前記第１の出力端子の接続及び前記第２の入力端子と前記第２の出力端子の接続が解除されると共に前記第２の入力端子と前記第１の出力端子が接続されるようにした
請求項２に記載の受信装置。
【請求項４】
前記第１のアンテナ及び前記第２のアンテナによってデジタル波が受信可能とされ、
前記第３のアンテナによってアナログ波が受信されるようにした
請求項１に記載の受信装置。
【請求項５】
前記デジタル波の伝送路にそれぞれ高周波増幅器が介挿された
請求項４に記載の受信装置。
【請求項６】
複数の電波を受信可能な受信装置と前記受信装置によって受信された電波に基づいて出力された画像信号によって画像が表示されるディスプレイとを備え、
前記受信装置が、
ダイバーシティ受信を行い同一の種類の電波を受信可能な第１のアンテナ及び第２のアンテナと、
前記第１のアンテナ及び前記第２のアンテナとは異なる種類の電波を受信可能な第３のアンテナと、
前記第１のアンテナ及び前記第２のアンテナによって受信された電波の入力を行う第１の入力モードと前記第３のアンテナによって受信された電波の入力を行う第２の入力モードとを切り替えるアンテナ切替スイッチと、
前記アンテナ切替スイッチに接続され前記第１の入力モード及び前記第２の入力モードにおいてそれぞれ電波を受信する第１のチューナー回路と、
前記アンテナ切替スイッチに接続され前記第１の入力モードにおいて電波を受信する第２のチューナー回路と、
前記第１の入力モードにおいて前記第１のチューナー回路及び前記第２のチューナー回路から出力される信号に基づいて前記第１のアンテナと前記第２のアンテナに関するダイバーシティ受信が行われ、
前記第２の入力モードにおいて前記第１のチューナー回路から信号が出力されるようにした
画像表示機器。
【発明の詳細な説明】
【技術分野】
【０００１】
本技術は受信装置及び画像表示機器についての技術分野に関する。詳しくは、三つのアンテナによって受信される電波の入力モードをアンテナ切替スイッチにおいて切り替えて小型化及び製造コストの低減を図る技術分野に関する。
【背景技術】
【０００２】
テレビジョンや携帯端末装置等のディスプレイを有する画像表示機器には、複数のアンテナを有する受信装置を備えたものがある（例えば、特許文献１参照）。
【０００３】
特許文献１に記載された画像表示機器は、複数のアンテナによって受信された電波のうち受信状態の良好な電波を選択し、受信状態の良好な電波を用いてディスプレイに画像を表示するダイバーシティ受信方式が採用されている。
【０００４】
図４は、ダイバーシティ受信方式が採用された受信装置を概略的に示した構成図である。
【０００５】
受信装置ａは同じ種類の電波、例えば、デジタル波を受信する第１のアンテナｂと第２のアンテナｃを有している。第１のアンテナｂと第２のアンテナｃはそれぞれ第１のチューナー回路ｄと第２のチューナー回路ｅに接続され第１のチューナー回路ｄと第２のチューナー回路ｅは復調回路（デジタル復調デバイス：ＤＭＤ）ｆに接続されている。
【０００６】
受信装置ａにあっては、例えば、第１のアンテナｂと第２のアンテナｃによって受信されたデジタル波（地上波）がそれぞれ第１のチューナー回路ｄと第２のチューナー回路ｅに伝送され、第１のチューナー回路ｄと第２のチューナー回路ｅにおいて選局及び周波数変換が行われる。復調回路ｆは常時ダイバーシティ受信が行われるように第１のチューナー回路ｄと第２のチューナー回路ｅを制御し、第１のチューナー回路ｄ又は第２のチューナー回路ｅから入力される最適なデジタル信号（画像信号及び音声信号）に基づいてディスプレイに画像を表示し音声を出力するようにしている。
【０００７】
【特許文献１】特許３４７４７６３号公報
【発明の開示】
【発明が解決しようとする課題】
【０００８】
ところで、上記のような受信装置を有する画像表示機器にあっては、異なる種類の電波を受信可能とするタイプ、例えば、デジタル波とアナログ波の受信が可能とされ、デジタル波の受信においてダイバーシティ受信方式が採用されているタイプがある。
【０００９】
図５は、デジタル波とアナログ波の受信が可能とされ、デジタル波の受信においてダイバーシティ受信方式が採用された受信装置を概略的に示した構成図である。
【００１０】
受信装置ｇはデジタル波の受信が可能な第１のアンテナｈ及び第２のアンテナｉとアナログ波を受信する第３のアンテナｊを有している。
【００１１】
受信装置ｇには第１のチューナー回路ｋと第２のチューナー回路ｌが設けられ、第１のチューナー回路ｋへの伝送路にはアンテナ切替スイッチｍが介挿され、第２のチューナー回路ｌへの伝送路には入力端子ｎが設けられている。アンテナ切替スイッチｍには第１のアンテナｈが接続された第１の入力端子ｏと第３のアンテナｊが接続された第２の入力端子ｐとが設けられ、第１の入力端子ｏと第２の入力端子ｐの切替が行われる。
【００１２】
第１のチューナー回路ｋは第１の復調回路（ＤＭＤ）ｑと第２の復調回路（アナログ復調デバイス：ＡＭＤ）ｒに接続され、第２のチューナー回路ｌは第１の復調回路ｑに接続されている。
【００１３】
受信装置ｇにあっては、アンテナ切替スイッチｍが第１の入力端子ｏの接続に切り替えられた状態において、例えば、第１のアンテナｈと第２のアンテナｉによって受信されたデジタル波（地上波）がそれぞれ第１の入力端子ｏと入力端子ｎを介して第１のチューナー回路ｋと第２のチューナー回路ｌに伝送され、第１のチューナー回路ｋと第２のチューナー回路ｌにおいて選局及び周波数変換が行われる。第１の復調回路ｑは常時ダイバーシティ受信が行われるように第１のチューナー回路ｋと第２のチューナー回路ｌを制御し、第１のチューナー回路ｋと第２のチューナー回路ｌのうち受信状態が良好な電波によって生成されるデジタル信号（画像信号及び音声信号）に基づいてディスプレイに画像を表示し音声を出力するようにしている。
【００１４】
一方、受信装置ｇにあっては、アンテナ切替スイッチｍが第２の入力端子ｐの接続に切り替えられた状態において、第３のアンテナｊによって受信されたアナログ波が第２の入力端子ｐを介して第１のチューナー回路ｋに伝送され、第１のチューナー回路ｋからアナログ信号が第２の復調回路ｒに入力されてディスプレイに画像が表示され音声が出力される。
【００１５】
このように異なる種類の電波を受信可能とするタイプの受信装置においても、ダイバーシティ受信方式によって最適な画像の表示及び音声の出力が可能とされている。
【００１６】
ところが、上記した異なる種類の電波を受信可能とするタイプの受信装置にあっては、アンテナ切替スイッチが第２の入力端子の接続に切り替えられた状態において、第３のアンテナによってアナログ波が受信されるときには、第２のアンテナに接続された入力端子（入力端子ｎ）が使用されない状態となっている。
【００１７】
従って、使用されない状態が存在する入力端子をアンテナ切替スイッチとは別に設ける分、省スペース化を阻害して画像表示機器の小型化に支障を来たすと共に製造コストの高騰を来たしてしまう。
【００１８】
そこで、本技術受信装置は、上記した問題点を克服し、小型化及び製造コストの低減を図ることを課題とする。
【課題を解決するための手段】
【００１９】
第１に、受信装置は、上記した課題を解決するために、同一の種類の電波を受信可能な第１のアンテナ及び第２のアンテナと、前記第１のアンテナ及び前記第２のアンテナとは異なる種類の電波を受信可能な第３のアンテナと、前記第１のアンテナ及び前記第２のアンテナによって受信された電波の入力を行う第１の入力モードと前記第３のアンテナによって受信された電波の入力を行う第２の入力モードとを切り替えるアンテナ切替スイッチと、前記アンテナ切替スイッチに接続され前記第１の入力モード及び前記第２の入力モードにおいてそれぞれ電波を受信する第１のチューナー回路と、前記アンテナ切替スイッチに接続され前記第１の入力モードにおいて電波を受信する第２のチューナー回路と、前記第１の入力モードにおいて前記第１のチューナー回路及び前記第２のチューナー回路から出力される信号に基づいて前記第１のアンテナと前記第２のアンテナに関するダイバーシティ受信が行われ、前記第２の入力モードにおいて前記第１のチューナー回路から信号が出力されるようにしたものである。
【００２０】
従って、受信装置にあっては、アンテナ切替スイッチにおける第１の入力モードと第２の入力モードの切替が行われて異なる種類の電波が受信される。
【００２１】
第２に、前記アンテナ切替スイッチに第１の入力端子と第２の入力端子が設けられ、前記第１のアンテナによって受信された電波が前記第１の入力端子に入力され、前記第２のアンテナ及び前記第３のアンテナによって受信された電波がそれぞれ前記第２の入力端子に入力されるようにすることが望ましい。
【００２２】
アンテナ切替スイッチに第１の入力端子と第２の入力端子が設けられ、第１のアンテナによって受信された電波が第１の入力端子に入力され、第２のアンテナ及び第３のアンテナによって受信された電波がそれぞれ第２の入力端子に入力されるようにすることにより、簡素な構成によってダイバーシティ受信に対応したアンテナ切替スイッチが構成される。
【００２３】
第３に、前記アンテナ切替スイッチに前記第１のチューナー回路に接続された第１の出力端子と前記第２のチューナー回路に接続された第２の出力端子とが設けられ、前記第１の入力モードにおいて前記第１の入力端子と前記第１の出力端子が接続されると共に前記第２の入力端子と前記第２の出力端子が接続され、前記第２の入力モードにおいて前記第１の入力端子と前記第１の出力端子の接続及び前記第２の入力端子と前記第２の出力端子の接続が解除されると共に前記第２の入力端子と前記第１の出力端子が接続されるようにすることが望ましい。
【００２４】
第１の入力モードにおいて第１の入力端子と第１の出力端子が接続されると共に第２の入力端子と第２の出力端子が接続され、第２の入力モードにおいて第２の入力端子と第１の出力端子が接続されるようにすることにより、接続状態の簡単な切替により第１の入力モードと第２の入力モードにおいて所望の電波が受信される。
【００２５】
第４に、前記第１のアンテナ及び前記第２のアンテナによってデジタル波が受信可能とされ、前記第３のアンテナによってアナログ波が受信されるようにすることが望ましい。
【００２６】
第１のアンテナ及び第２のアンテナによってデジタル波が受信可能とされ、第３のアンテナによってアナログ波が受信されるようにすることにより、デジタル放送においてダイバーシティ受信が行われる。
【００２７】
第５に、前記デジタル波の伝送路にそれぞれ高周波増幅器が介挿されることが望ましい。
【００２８】
デジタル波の伝送路にそれぞれ高周波増幅器が介挿されることにより、第１のアンテナ及び第２のアンテナによって受信されたデジタル波がそれぞれ高周波増幅器に入力される。
【００２９】
画像表示機器は、上記した課題を解決するために、複数の電波を受信可能な受信装置と前記受信装置によって受信された電波に基づいて出力された画像信号によって画像が表示されるディスプレイとを備え、前記受信装置が、ダイバーシティ受信を行い同一の種類の電波を受信可能な第１のアンテナ及び第２のアンテナと、前記第１のアンテナ及び前記第２のアンテナとは異なる種類の電波を受信可能な第３のアンテナと、前記第１のアンテナ及び前記第２のアンテナによって受信された電波の入力を行う第１の入力モードと前記第３のアンテナによって受信された電波の入力を行う第２の入力モードとを切り替えるアンテナ切替スイッチと、前記アンテナ切替スイッチに接続され前記第１の入力モード及び前記第２の入力モードにおいてそれぞれ電波を受信する第１のチューナー回路と、前記アンテナ切替スイッチに接続され前記第１の入力モードにおいて電波を受信する第２のチューナー回路と、前記第１の入力モードにおいて前記第１のチューナー回路及び前記第２のチューナー回路から出力される信号に基づいて前記第１のアンテナと前記第２のアンテナに関するダイバーシティ受信が行われ、前記第２の入力モードにおいて前記第１のチューナー回路から信号が出力されるようにしたものである。
【００３０】
従って、画像表示機器にあっては、アンテナ切替スイッチにおける第１の入力モードと第２の入力モードの切替が行われて異なる種類の電波が受信される。
【発明の効果】
【００３１】
本技術受信装置は、同一の種類の電波を受信可能な第１のアンテナ及び第２のアンテナと、前記第１のアンテナ及び前記第２のアンテナとは異なる種類の電波を受信可能な第３のアンテナと、前記第１のアンテナ及び前記第２のアンテナによって受信された電波の入力を行う第１の入力モードと前記第３のアンテナによって受信された電波の入力を行う第２の入力モードとを切り替えるアンテナ切替スイッチと、前記アンテナ切替スイッチに接続され前記第１の入力モード及び前記第２の入力モードにおいてそれぞれ電波を受信する第１のチューナー回路と、前記アンテナ切替スイッチに接続され前記第１の入力モードにおいて電波を受信する第２のチューナー回路と、前記第１の入力モードにおいて前記第１のチューナー回路及び前記第２のチューナー回路から出力される信号に基づいて前記第１のアンテナと前記第２のアンテナに関するダイバーシティ受信が行われ、前記第２の入力モードにおいて前記第１のチューナー回路から信号が出力されるようにしている。
【００３２】
従って、第３のアンテナによって受信された電波を入力するための専用の入力端子を設ける必要がなく、その分、受信装置の小型化及び製造コストの低減を図ることができる。
【００３３】
請求項２に記載した技術にあっては、前記アンテナ切替スイッチに第１の入力端子と第２の入力端子が設けられ、前記第１のアンテナによって受信された電波が前記第１の入力端子に入力され、前記第２のアンテナ及び前記第３のアンテナによって受信された電波がそれぞれ前記第２の入力端子に入力されるようにしている。
【００３４】
従って、簡素な構成によってダイバーシティ受信に対応したアンテナ切替スイッチを構成することができ、受信装置の小型化及び製造コストの一層の低減を図ることができる。
【００３５】
請求項３に記載した技術にあっては、前記アンテナ切替スイッチに前記第１のチューナー回路に接続された第１の出力端子と前記第２のチューナー回路に接続された第２の出力端子とが設けられ、前記第１の入力モードにおいて前記第１の入力端子と前記第１の出力端子が接続されると共に前記第２の入力端子と前記第２の出力端子が接続され、前記第２の入力モードにおいて前記第１の入力端子と前記第１の出力端子の接続及び前記第２の入力端子と前記第２の出力端子の接続が解除されると共に前記第２の入力端子と前記第１の出力端子が接続されるようにしている。
【００３６】
従って、接続状態の簡単な切替により第１の入力モードと第２の入力モードにおいて所望の電波を受信可能であり、構造の簡素化による小型化及び製造コストの低減を図ることができる。
【００３７】
請求項４に記載した技術にあっては、前記第１のアンテナ及び前記第２のアンテナによってデジタル波が受信可能とされ、前記第３のアンテナによってアナログ波が受信されるようにしている。
【００３８】
従って、デジタル放送においてダイバーシティ受信によって良好な出力信号の再生を行うことができる。
【００３９】
請求項５に記載した技術にあっては、前記デジタル波の伝送路にそれぞれ高周波増幅器が介挿されている。
【００４０】
従って、デジタル波の受信感度の向上を図ることができる。
【００４１】
本技術画像表示機器は、複数の電波を受信可能な受信装置と前記受信装置によって受信された電波に基づいて出力された画像信号によって画像が表示されるディスプレイとを備え、前記受信装置が、ダイバーシティ受信を行い同一の種類の電波を受信可能な第１のアンテナ及び第２のアンテナと、前記第１のアンテナ及び前記第２のアンテナとは異なる種類の電波を受信可能な第３のアンテナと、前記第１のアンテナ及び前記第２のアンテナによって受信された電波の入力を行う第１の入力モードと前記第３のアンテナによって受信された電波の入力を行う第２の入力モードとを切り替えるアンテナ切替スイッチと、前記アンテナ切替スイッチに接続され前記第１の入力モード及び前記第２の入力モードにおいてそれぞれ電波を受信する第１のチューナー回路と、前記アンテナ切替スイッチに接続され前記第１の入力モードにおいて電波を受信する第２のチューナー回路と、前記第１の入力モードにおいて前記第１のチューナー回路及び前記第２のチューナー回路から出力される信号に基づいて前記第１のアンテナと前記第２のアンテナに関するダイバーシティ受信が行われ、前記第２の入力モードにおいて前記第１のチューナー回路から信号が出力されるようにしている。
【００４２】
従って、第３のアンテナによって受信された電波を入力するための専用の入力端子を設ける必要がなく、その分、画像表示機器の小型化及び製造コストの低減を図ることができる。
【発明を実施するための最良の形態】
【００４３】
以下に、本技術受信装置及び画像表示機器を実施するための最良の形態を添付図面に従って説明する。
【００４４】
以下に示した最良の形態は、本技術画像表示機器をテレビジョンに適用し、本技術受信装置をこのテレビジョンに備えられた受信装置に適用したものである。
【００４５】
但し、本技術の適用範囲はテレビジョン及びこれに備えられた受信装置に限られることはない。本技術画像表示機器は、例えば、携帯端末装置やパーソナルコンピューター等のディスプレイに画像を表示する各種の画像表示機器に適用することが可能であり、本技術受信装置は、これらの各種の画像表示機器に備えられた受信装置に広く適用することができる。
【００４６】
［画像表示機器の概略構成］
先ず、画像表示機器の概略構成について説明する（図１参照）。
【００４７】
画像表示機器１は筐体２を有し、筐体２の前面部にディスプレイ３が配置されている。ディスプレイ３としては、例えば、液晶ディスプレイ、プラズマディスプレイ、有機ＥＬ（Electro Luminescence）ディスプレイが用いられている。
【００４８】
筐体２の前面にはリモートコントロール装置等の操作による操作信号が入力される赤外線受信部４が設けられている。筐体２の側面や背面には図示しないＲＦ（Radio Frequensy）信号入力端子が設けられている。
【００４９】
画像表示機器１にはＲＦ信号入力端子を含む受信装置５が備えられている。
【００５０】
受信装置５はＲＦ信号入力端子に伝送ケーブルを介して接続された第１のアンテナ６、第２のアンテナ７及び第３のアンテナ８と筐体２の内部に配置された回路部９とを有している。
【００５１】
［受信装置の構成］
次に、受信装置５の具体的な構成について説明する（図２及び図３参照）。
【００５２】
受信装置５は第１のアンテナ６、第２のアンテナ７、第３のアンテナ８、アンテナ切替スイッチ１０、第１のチューナー回路１１、第２のチューナー回路１２、第１の復調回路１３及び第２の復調回路１４を有している。アンテナ切替スイッチ１０、第１のチューナー回路１１、第２のチューナー回路１２、第１の復調回路１３及び第２の復調回路１４は回路部９に設けられている。
【００５３】
第１のアンテナ６と第２のアンテナ７は同一の種類の電波、例えば、デジタル波の受信が可能とされ、第３のアンテナ８は第１のアンテナ６と第２のアンテナ７によって受信される電波とは異なる電波、例えば、アナログ波を受信する。
【００５４】
第１のアンテナ６は第１の伝送路１５を介してアンテナ切替スイッチ１０に接続され、第２のアンテナ７と第３のアンテナ８は第２の伝送路１６を介してアンテナ切替スイッチ１０に接続されている。
【００５５】
アンテナ切替スイッチ１０は第１の入力端子１０ａと第２の入力端子１０ｂと第１の出力端子１０ｃと第２の出力端子１０ｄを有している。第１の入力端子１０ａには第１の伝送路１５が接続され、第２の入力端子１０ｂには第２の伝送路１６が接続されている。従って、第２のアンテナ７と第３のアンテナ８はアンテナ切替スイッチ１０への接続において第２の入力端子１０ｂが共用されている。
【００５６】
第１の伝送路１５には第１の高周波増幅器（ＬＮＡ：Low Noise Amplifier）１７が介挿されている。第１の高周波増幅器１７は伝送される電波の受信感度を向上させる機能を有している。
【００５７】
受信装置５にあっては、アンテナ切替スイッチ１０において、第１の入力端子１０ａに第１の出力端子１０ｃが接続され第２の入力端子１０ｂに第２の出力端子１０ｄが接続されることにより第１の入力モードが設定される（図２参照）。また、第１の入力端子１０ａと第１の出力端子１０ｃの接続及び第２の入力端子１０ｂと第２の出力端子１０ｄの接続が解除されると共に第２の入力端子１０ｂと第１の出力端子１０ｃが接続されることにより第２の入力モードが設定される（図３参照）。
【００５８】
第１のチューナー回路１１及び第２のチューナー回路１２は所望のＲＦ信号を取り出すための選局及び第１の復調回路１３又は第２の復調回路１４に映像信号及び音声信号としてのデジタル信号又はアナログ信号を出力するための周波数変換を行う機能を有している。
【００５９】
第１のチューナー回路１１には第３の伝送路１８を介してアンテナ切替スイッチ１０の第１の出力端子１０ｃが接続され、第２のチューナー回路１２には第４の伝送路１９を介してアンテナ切替スイッチ１０の第２の出力端子１０ｄが接続されている。第４の伝送路１９には第２の高周波増幅器（ＬＮＡ：Low Noise Amplifier）２０が介挿されている。第２の高周波増幅器２０は伝送される電波の受信感度を向上させる機能を有している。
【００６０】
第１の復調回路１３はデジタル復調デバイス（ＤＭＤ）であり、第１の復調回路１３には第１のチューナー回路１１と第２のチューナー回路１２からそれぞれデジタル信号の入力が行われる。
【００６１】
第２の復調回路１４はアナログ復調デバイス（ＡＭＤ）であり、第２の復調回路１４には第１のチューナー回路１１からアナログ信号の入力が行われる。
【００６２】
［受信装置の動作］
次に、受信装置５の動作について説明する（図２及び図３参照）。
【００６３】
画像表示機器１においては、受信装置５のアンテナ切替スイッチ１０について入力モードの切替が行われる。アンテナ切替スイッチ１０についての入力モードの切替は、例えば、使用者によって選択された放送の種類等に応じて行われる。例えば、使用者がリモートコントロール装置等の操作によって地上波デジタル放送を選択した場合には、第１の入力端子１０ａに第１の出力端子１０ｃが接続され第２の入力端子１０ｂに第２の出力端子１０ｄが接続されて第１の入力モードが設定される（図２参照）。また、使用者がリモートコントロール装置等の操作によってケーブルテレビ放送等を選択した場合には、第２の入力端子１０ｂと第１の出力端子１０ｃが接続されて第２の入力モードが設定される（図３参照）。
【００６４】
アンテナ切替スイッチ１０が切り替えられて第１の入力モードが設定された状態（図２参照）において、第１のアンテナ６と第２のアンテナ７によって受信されたデジタル波がそれぞれアンテナ切替スイッチ１０の第１の入力端子１０ａと第２の入力端子１０ｂを介して第１のチューナー回路１１と第２のチューナー回路１２に伝送されると、第１のチューナー回路１１と第２のチューナー回路１２において選局及び周波数変換が行われる。第１の復調回路１３は常時ダイバーシティ受信が行われるように第１のチューナー回路１１と第２のチューナー回路１２を制御し、第１のチューナー回路１１と第２のチューナー回路１２のうち受信状態が良好な電波によって生成されるデジタル信号（画像信号及び音声信号）に基づいてディスプレイ３に画像を表示し音声を出力するようにしている。
【００６５】
一方、アンテナ切替スイッチ１０が切り替えられて第２の入力モードが設定された状態（図３参照）において、第３のアンテナ８によって受信されたアナログ波が第２の入力端子１０ｂを介して第１のチューナー回路１１に伝送され、第１のチューナー回路１１からアナログ信号が第２の復調回路１４に入力されてディスプレイ３に画像が表示され音声が出力される。
【００６６】
尚、上記には、第３のアンテナ８によって受信される電波がアナログ波である例を示したが、第３のアンテナ８によって受信される電波は、例えば、第１のアンテナ６と第２のアンテナ７によって受信されるデジタル波とは種類の異なるデジタル波であってもよい。例えば、第１のアンテナ６と第２のアンテナ７によって地上波放送又はケーブルテレビ放送用の一方のデジタル波が受信され、第３のアンテナ８によって地上波放送又はケーブルテレビ放送用の他方のデジタル波が受信されてもよい。
【００６７】
この場合には第１の復調回路１３が２種類のデジタル波を復調できる機能を有しており、第１の復調回路１３に第１のアンテナ６と第２のアンテナ７によって受信された一方のデジタル波と、第３のアンテナ８によって受信された他方のデジタル波の双方のデジタル波がそれぞれ第１の入力モードと第２の入力モードにおいて入力される。
【００６８】
第１の復調回路１３においては異なる種類のデジタル波が入力されるときに、例えば、ユーザーの操作に基づいて復調機能の切替が行われ、入力された種類の異なる各デジタル波についての復調処理が行われる。
【００６９】
［まとめ］
以上に記載した通り、画像表示機器１にあっては、第１のアンテナ６、第２のアンテナ７及び第３のアンテナ８がアンテナ切替スイッチ１０に接続され、アンテナ切替スイッチ１０が切り替えられて第１の入力モード又は第２の入力モードが設定されダイバーシティ受信が行われると共に異なる種類の電波に基づいて各画像の表示等が行われる。
【００７０】
従って、第３のアンテナ８によって受信された電波を入力するための専用の入力端子（ＲＦ信号入力端子）を設ける必要がなく、その分、画像表示機器１及び画像表示機器１に備えられた受信装置５の小型化及び製造コストの低減を図ることができる。
【００７１】
また、アンテナ切替スイッチ１０に第１の入力端子１０ａと第２の入力端子１０ｂが設けられ、第１のアンテナ６によって受信された電波が第１の入力端子１０ａに入力され、第２のアンテナ７及び第３のアンテナ８によって受信された電波がそれぞれ第２の入力端子１０ｂに入力されるようにしている。
【００７２】
従って、簡素な構成によってダイバーシティ受信に対応したアンテナ切替スイッチ１０を構成することができ、画像表示機器１及び画像表示機器１に備えられた受信装置５の小型化及び製造コストの一層の低減を図ることができる。
【００７３】
さらに、アンテナ切替スイッチ１０に第１のチューナー回路１１に接続された第１の出力端子１０ｃと第２のチューナー回路１２に接続された第２の出力端子１０ｄとが設けられ、第１の入力モードにおいて第１の入力端子１０ａと第１の出力端子１０ｃが接続されると共に第２の入力端子１０ｂと第２の出力端子１０ｄが接続され、第２の入力モードにおいて第２の入力端子１０ｂと第１の出力端子１０ｃが接続されるようにしている。
【００７４】
従って、接続状態の簡単な切替により第１の入力モードと第２の入力モードにおいて所望の電波を受信可能であり、構造の簡素化による小型化及び製造コストの低減を図ることができる。
【００７５】
さらにまた、第１のアンテナ６及び第２のアンテナ７によってデジタル波が受信可能とされ、第３のアンテナ８によってアナログ波が受信されるようにしているため、デジタル放送においてダイバーシティ受信によって良好な出力信号の再生を行うことができる。
【００７６】
加えて、デジタル波の伝送路である第１の伝送路１５と第４の伝送路１９にそれぞれ第１の高周波増幅器１７と第２の高周波増幅器２０が介挿されているため、デジタル波の受信感度の向上を図ることができる。
【００７７】
［本技術］
本技術は、以下のような構成とすることができる。
【００７８】
（１）同一の種類の電波を受信可能な第１のアンテナ及び第２のアンテナと、前記第１のアンテナ及び前記第２のアンテナとは異なる種類の電波を受信可能な第３のアンテナと、前記第１のアンテナ及び前記第２のアンテナによって受信された電波の入力を行う第１の入力モードと前記第３のアンテナによって受信された電波の入力を行う第２の入力モードとを切り替えるアンテナ切替スイッチと、前記アンテナ切替スイッチに接続され前記第１の入力モード及び前記第２の入力モードにおいてそれぞれ電波を受信する第１のチューナー回路と、前記アンテナ切替スイッチに接続され前記第１の入力モードにおいて電波を受信する第２のチューナー回路と、前記第１の入力モードにおいて前記第１のチューナー回路及び前記第２のチューナー回路から出力される信号に基づいて前記第１のアンテナと前記第２のアンテナに関するダイバーシティ受信が行われ、前記第２の入力モードにおいて前記第１のチューナー回路から信号が出力されるようにした受信装置。
【００７９】
（２）前記アンテナ切替スイッチに第１の入力端子と第２の入力端子が設けられ、前記第１のアンテナによって受信された電波が前記第１の入力端子に入力され、前記第２のアンテナ及び前記第３のアンテナによって受信された電波がそれぞれ前記第２の入力端子に入力されるようにした前記（１）に記載の受信装置。
【００８０】
（３）前記アンテナ切替スイッチに前記第１のチューナー回路に接続された第１の出力端子と前記第２のチューナー回路に接続された第２の出力端子とが設けられ、前記第１の入力モードにおいて前記第１の入力端子と前記第１の出力端子が接続されると共に前記第２の入力端子と前記第２の出力端子が接続され、前記第２の入力モードにおいて前記第１の入力端子と前記第１の出力端子の接続及び前記第２の入力端子と前記第２の出力端子の接続が解除されると共に前記第２の入力端子と前記第１の出力端子が接続されるようにした前記（２）に記載の受信装置。
【００８１】
（４）前記第１のアンテナ及び前記第２のアンテナによってデジタル波が受信可能とされ、前記第３のアンテナによってアナログ波が受信されるようにした前記（１）から前記（３）の何れかに記載の受信装置。
【００８２】
（５）前記デジタル波の伝送路にそれぞれ高周波増幅器が介挿された前記（４）に記載の受信装置。
【００８３】
（６）複数の電波を受信可能な受信装置と前記受信装置によって受信された電波に基づいて出力された画像信号によって画像が表示されるディスプレイとを備え、前記受信装置が、ダイバーシティ受信を行い同一の種類の電波を受信可能な第１のアンテナ及び第２のアンテナと、前記第１のアンテナ及び前記第２のアンテナとは異なる種類の電波を受信可能な第３のアンテナと、前記第１のアンテナ及び前記第２のアンテナによって受信された電波の入力を行う第１の入力モードと前記第３のアンテナによって受信された電波の入力を行う第２の入力モードとを切り替えるアンテナ切替スイッチと、前記アンテナ切替スイッチに接続され前記第１の入力モード及び前記第２の入力モードにおいてそれぞれ電波を受信する第１のチューナー回路と、前記アンテナ切替スイッチに接続され前記第１の入力モードにおいて電波を受信する第２のチューナー回路と、前記第１の入力モードにおいて前記第１のチューナー回路及び前記第２のチューナー回路から出力される信号に基づいて前記第１のアンテナと前記第２のアンテナに関するダイバーシティ受信が行われ、前記第２の入力モードにおいて前記第１のチューナー回路から信号が出力されるようにした画像表示機器。
【００８４】
上記した技術の最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【００８５】
【図１】図２乃至図５と共に本技術受信装置及び画像表示機器を示すものであり、本図は、画像表示機器の概略図である。
【図２】第１の入力モードが設定されている状態を示す受信装置の構成図である。
【図３】第２の入力モードが設定されている状態を示す受信装置の構成図である。
【図４】ダイバーシティ受信方式が採用された従来の受信装置を概略的に示した構成図である。
【図５】デジタル波とアナログ波の受信が可能とされデジタル波の受信においてダイバーシティ受信方式が採用された従来の受信装置を概略的に示した構成図である。
【符号の説明】
【００８６】
１…画像表示機器、３…ディスプレイ、５…受信装置、６…第１のアンテナ、７…第２のアンテナ、８…第３のアンテナ、１０…アンテナ切替スイッチ、１０ａ…第１の入力端子、１０ｂ…第２の入力端子、１０ｃ…第１の出力端子、１０ｄ…第２の出力端子、１１…第１のチューナー回路、１２…第２のチューナー回路、１３…第１の復調回路、１４…第２の復調回路、１７…第１の高周波増幅器、２０…第２の高周波増幅器
【図１】
2013135270.tif 000003
【図２】
2013135270.tif 000004
【図３】
2013135270.tif 000005
【図４】
2013135270.tif 000006
【図５】
2013135270.tif 000007